(57)【要約】      （修正有）【課題】顧客に不快な思いをさせることなく、状況に応じて適切なタイミングで顧客に金融商品の紹介等の勧誘を行うことが可能な情報処理装置、情報処理システム及び自動取引装置を提供する。【解決手段】情報処理システム１０は、自動取引装置１３を使用中のユーザを識別可能なユーザ識別情報を取得するユーザ識別情報取得部と、前記ユーザ識別情報に基づいて前記ユーザの各々の取引顧客としての情報である顧客情報を取得する顧客情報取得部と、前記自動取引装置１３に対応する１または複数の端末装置１７を含む端末装置群に前記ユーザの顧客情報を含む提示情報を送信する提示情報送信部と、前記端末装置群の１の端末装置１７から前記ユーザの指定情報を受け付ける指定情報受付部と、前記指定情報によって指定されたユーザが使用している自動取引装置１３に当該指定されたユーザに対する告知を行うための告知情報を送信する告知情報送信部と、を有する。【選択図】図１
2020017028.tif 000002
【特許請求の範囲】
【請求項１】
１または複数の自動取引装置を含む自動取引装置群の各々の自動取引装置から当該自動取引装置の各々を使用中のユーザを各々識別可能なユーザ識別情報を取得するユーザ識別情報取得部と、
前記ユーザ識別情報に基づいて前記ユーザの各々の取引顧客としての情報である顧客情報を取得する顧客情報取得部と、
前記自動取引装置群に対応する１または複数の端末装置を含む端末装置群に前記ユーザの各々の前記顧客情報を含む提示情報を送信する提示情報送信部と、
前記端末装置群の１の端末装置から前記ユーザの１を指定するユーザ指定情報を受け付ける指定情報受付部と、
前記ユーザ指定情報によって指定されたユーザが使用している自動取引装置に当該指定されたユーザに対する告知を行うための告知情報を送信する告知情報送信部と、
を有することを特徴とする情報処理装置。
【請求項２】
前記告知情報は、前記ユーザに対するセールスを希望する旨の告知であることを特徴とする請求項１に記載の情報処理装置。
【請求項３】
前記告知情報に対する前記ユーザの行動に関するユーザ行動情報を受け付ける行動情報受付部を含み、
前記ユーザ行動情報を前記１の端末装置に送信する行動情報送信部をさらに有することを特徴とする請求項１または２に記載の情報処理装置。
【請求項４】
前記ユーザの行動は、前記ユーザに対するセールスを前記ユーザが承諾するか否かを示す行動であることを特徴とする請求項３に記載の情報処理装置。
【請求項５】
前記提示情報は、前記顧客情報によって定まる優先度に基づいた態様で前記１または複数の端末装置に前記顧客情報を各々提示する情報であることを特徴とする請求項１乃至４のいずれか１つに記載の情報処理装置。
【請求項６】
前記顧客情報は、前記顧客情報に対応したユーザに対して行うべきセールスに関連する情報であるセールス関連情報を含むことを特徴とする請求項１乃至５のいずれか１つに記載の情報処理装置。
【請求項７】
自動取引装置を使用するユーザを識別可能なユーザ識別情報を取得するユーザ識別情報取得部と、
前記ユーザ識別情報に基づいて前記ユーザの取引顧客としての情報である顧客情報を取得する顧客情報取得部と、
少なくとも前記顧客情報を基にして前記ユーザが指定されたことを示すユーザ指定情報を受け付ける指定情報受付部と、
前記ユーザ指定情報によって指定されたユーザが使用している自動取引装置に、当該指定されたユーザに対する告知を行うための告知情報を送信する告知情報送信部と、
を有することを特徴とする情報処理装置。
【請求項８】
１または複数の自動取引装置を含む自動取引装置群の各々の自動取引装置から当該自動取引装置の各々を使用中のユーザを各々識別可能なユーザ識別情報を取得するユーザ識別情報取得部と、
前記ユーザ識別情報に基づいて前記ユーザの各々の取引顧客としての情報である顧客情報を取得する顧客情報取得部と、
前記ユーザの各々の前記顧客情報を含む提示情報を提示する提示情報提示部と、
前記ユーザの１を指定するユーザ指定を受け付ける指定受付部と、
前記ユーザ指定によって指定されたユーザが使用している自動取引装置に当該指定されたユーザに対して告知を行う告知部と、
を有することを特徴とする情報処理システム。
【請求項９】
ユーザ識別情報を取得するユーザ識別情報取得部と、
前記識別情報取得部によって取得されたユーザ識別情報を送信する識別情報送信部と、
前記ユーザ識別情報に基づいて取得された前記ユーザの取引顧客としての情報である顧客情報を含む提示情報に対して前記ユーザを指定する指定操作を受け付けた旨の情報であるユーザ指定情報を受信する指定情報受信部と、
前記ユーザ指定情報を受信した際に告知を行う告知部と、
を有することを特徴とする自動取引装置。
【請求項１０】
ユーザ識別情報を取得するユーザ識別情報取得部と、
前記ユーザ識別情報に基づいて取得された前記ユーザの取引顧客としての情報である顧客情報を少なくとも基にして、店員によってユーザが指定され、そのユーザが指定されたことを示すユーザ指定情報を受信する指定情報受信部と、
前記ユーザ指定情報によって指定された前記ユーザに対する告知であって、前記ユーザを指定した前記店員からの告知を行うための告知情報を表示する表示部と、
を有することを特徴とする自動取引装置。
【請求項１１】
前記表示部は、前記指定されたユーザの取引の終了後に、前記告知情報を表示することを特徴とする請求項１０に記載の自動取引装置。
【請求項１２】
前記表示部は、前記指定されたユーザの取引中に、前記告知情報を表示することを特徴とする請求項１０に記載の自動取引装置。
【請求項１３】
前記告知情報は、前記店員が前記ユーザに尋ねる前に表示されることを特徴とする請求項１０に記載の自動取引装置。
【発明の詳細な説明】
【技術分野】
【０００１】
本発明は、情報処理装置、情報処理装置システム及び自動取引装置に関する。
【背景技術】
【０００２】
金融機関の現金自動預け払い機（ＡＴＭ：Automated Teller Machine）及び現金自動支払い機（ＣＤ：Cash Dispenser）に代表される自動取引装置は、銀行等の金融機関の支店やコンビニエンスストア等の店舗に設置されている。顧客は、自動取引装置に表示される表示画面において各種操作を行うことにより、入金、出金および残高照会などの取引を行うことができる。
【０００３】
金融機関の顧客が自動取引装置を使用して取引を行う場合、顧客は自動取引装置が設置されている金融機関の店舗に直接出向いて取引を行うことも多い。従って、顧客が自動取引装置を用いて取引を行うタイミングは、金融機関の様々な金融商品を顧客に勧めるべくセールスする１つのチャンスである。
【先行技術文献】
【特許文献】
【０００４】
【特許文献１】特開２０１４−１７８９１１号公報
【発明の概要】
【発明が解決しようとする課題】
【０００５】
特許文献１には、取引処理を行う自動機を操作した顧客の識別情報を受信し、予め定めた条件に合致した場合に係員端末に特定の種別の顧客が来店した旨を表示し、自動機に所定の案内させる自動機システムが開示されている。
【０００６】
しかし、特許文献１に開示されているシステムにおいては、顧客または店舗の係員の状況にかかわらず顧客に窓口への誘導等をする表示が行われてしまい、顧客に不快な思いをさせてしまう場合があり得る。
【０００７】
本発明は、上述の点に鑑みてなされたものであり、顧客に不快な思いをさせることなく、状況に応じて適切なタイミングで顧客に金融商品の紹介等の勧誘を行うことが可能な情報処理装置、情報処理システム及び自動取引装置を提供することを目的の１つとする。
【課題を解決するための手段】
【０００８】
本発明の情報処理装置は、１または複数の自動取引装置を含む自動取引装置群の各々の自動取引装置から当該自動取引装置の各々を使用中のユーザを各々識別可能なユーザ識別情報を取得するユーザ識別情報取得部と、前記ユーザ識別情報に基づいて前記ユーザの各々の取引顧客としての情報である顧客情報を取得する顧客情報取得部と、前記自動取引装置群に対応する１または複数の端末装置を含む端末装置群に前記ユーザの各々の前記顧客情報を含む提示情報を送信する提示情報送信部と、前記端末装置群の１の端末装置から前記ユーザの１を指定するユーザ指定情報を受け付ける指定情報受付部と、前記ユーザ指定情報によって指定されたユーザが使用している自動取引装置に当該指定されたユーザに対する告知を行うための告知情報を送信する告知情報送信部と、を有することを特徴とする。
【０００９】
また、本発明の情報処理システムは、１または複数の自動取引装置を含む自動取引装置群の各々の自動取引装置から当該自動取引装置の各々を使用中のユーザを各々識別可能なユーザ識別情報を取得するユーザ識別情報取得部と、前記ユーザ識別情報に基づいて前記ユーザの各々の取引顧客としての情報である顧客情報を取得する顧客情報取得部と、前記ユーザの各々の前記顧客情報を含む提示情報を提示する提示情報提示部と、前記ユーザの１を指定するユーザ指定を受け付ける指定受付部と、前記ユーザ指定によって指定されたユーザが使用している自動取引装置に当該指定されたユーザに対する告知を行う告知部と、を有することを特徴とする。
【００１０】
また、本発明の自動取引装置は、ユーザ識別情報を取得するユーザ識別情報取得部と、前記識別情報取得部によって取得されたユーザ識別情報を送信する識別情報送信部と、前記ユーザ識別情報に基づいて取得された前記ユーザの取引顧客としての情報である顧客情報を含む提示情報に対して前記ユーザを指定する指定操作を受け付けた旨の情報であるユーザ指定情報を受信する指定情報受信部と、前記ユーザ指定情報を受信した際に告知を行う告知部と、を有することを特徴とする。
【００１１】
また、本発明の自動取引装置は、ユーザ識別情報を取得するユーザ識別情報取得部と、前記ユーザ識別情報に基づいて取得された前記ユーザの取引顧客としての情報である顧客情報を少なくとも基にして、店員によってユーザが指定され、そのユーザが指定されたことを示すユーザ指定情報を受信する指定情報受信部と、前記ユーザ指定情報によって指定された前記ユーザに対する告知であって、前記ユーザを指定した前記店員からの告知を行うための告知情報を表示する表示部と、を有することを特徴とする。
【図面の簡単な説明】
【００１２】
【図１】実施例１の情報処理システムを示す図である。
【図２】自動取引装置の外観を示す図である。
【図３】自動取引装置の構成を示すブロック図である。
【図４】実施例１のセールス支援サーバの装置制御に関する構成を示す図である。
【図５】実施例１の端末装置の装置制御に関する構成を示す図である。
【図６】実施例１の情報処理システムの動作概要を示すシーケンス図である。
【図７】識別情報の一例を示す図である。
【図８】提示情報の一例を示す図である。
【図９】自動取引装置における画面表示の一例を示す図である。
【図１０】自動取引装置における画面表示の一例を示す図である。
【図１１】自動取引装置における情報処理ルーチンを示すフローチャートである。
【図１２】自動取引装置における情報処理ルーチンを示すフローチャートである。
【図１３】支援サーバにおける情報処理ルーチンを示すフローチャートである。
【図１４】端末装置における情報処理ルーチンを示すフローチャートである。
【図１５】支援サーバにおける情報処理ルーチンを示すフローチャートである。
【図１６】支援サーバにおける情報処理ルーチンを示すフローチャートである。
【発明を実施するための形態】
【実施例１】
【００１３】
以下に、本発明の実施例１の情報処理システムについて添付の図面を参照しつつ説明する。図１は、情報処理システム１０の概要を示す図である。図示しているように、情報処理システム１０は、ＣＲＭ（Customer Relationship Management）サーバ１１、自動取引装置の一例としてのＡＴＭ１３、セールス支援サーバ１５、及び端末装置（図中、単に端末と記載する）１７がネットワークＮＷを介して通信可能に接続されて構築されているシステムである。
【００１４】
ＣＲＭサーバ１１は、顧客に関する情報や顧客との関係を構築して顧客満足度を向上させるための顧客関係管理を実施するサーバ装置である。ＣＲＭサーバ１１内には、顧客に関する情報を保持している顧客情報データベース（顧客情報ＤＢ）１１Ａが構築されている。
【００１５】
顧客情報データベース１１Ａには、顧客の口座番号等の顧客の識別情報と紐付けられて、顧客の氏名及び当該顧客に対してセールスすることが推奨される金融商品またはサービス（以下、単に推奨商品とも称する）が記録されている。この推奨商品は、金融機関に予め登録されている顧客の年齢、性別、職業、預貯金残高等の顧客の個人情報に基づいて決められていてもよい。
【００１６】
また、顧客情報データベース１１Ａ内には、どの顧客に優先してセールスを行うかの優先度の情報が含まれていても良い。この優先度の情報は、上記した個人情報に基づいて決められていてもよい。
【００１７】
自動取引装置（以下、単にＡＴＭともいう）１３は、例えば金融機関の各支店に設置されており、夫々金融機関のホストコンピュータ（以下、単にホストとも称する）（図示せず）に接続されている。ＡＴＭ１３は、ホストコンピュータと通信することによって種々の取引処理を実行する事が可能となっている。なお、本実施例では、情報処理システム１０にはＡＴＭ１３が備わる場合を例に挙げて説明するが、かかる例に限定されず、例えば、ＶＴＭ（Video Teller Machine）がＡＴＭ１３の代わりとして又はＡＴＭ１３と共に情報処理システム１０に備わっても良い。
【００１８】
本実施例では、１の支店に設置されているＡＴＭ１３を１つのＡＴＭ群１３Ｇとして説明する。なお、図１には一例としてＡＴＭ群１３Ｇ（１）とＡＴＭ群１３Ｇ（２）との２つのＡＴＭ群が示されているが、当然ながら３以上のＡＴＭ群が存在し得る。
【００１９】
本実施例において、ＡＴＭ１３の各々は、現在自身を使用しているユーザ（顧客）の識別情報をセールス支援サーバ１５に送信する。
【００２０】
セールス支援サーバ１５は、ＡＴＭ１１から送信されたユーザの識別情報に基づいて、当該ユーザに対してセールスすることが推奨される推奨商品をＣＲＭサーバ１１から取得する。具体的には、例えば、セールス支援サーバ１５がユーザの識別情報をＣＲＭサーバ１１に送信し、ＣＲＭサーバ１１は、当該識別情報に紐付いた推奨商品を顧客情報データベース１１Ａ内から取得し、当該推奨商品をセールス支援サーバ１５に送信する。なお、上記セールス支援サーバ１５は、図１に示すように、１金融機関につき１台設置される場合を例に挙げて以下説明するが、かかる例に限定されず、各支店ごとに１台、設置されている場合、各端末装置１７に上記セールス支援サーバ１５が有するサーバ機能が具備されることでセールス支援サーバ１５が不要の場合等でも良い。
【００２１】
セールス支援サーバ１５は、ＡＴＭ１３から取得した識別情報及びＣＲＭサーバ１１から取得された推奨商品を含む情報に基づいて、ＡＴＭ１３を現在使用しているユーザのリストを生成する。このリストには、ユーザの識別情報、氏名、推奨商品及び優先度が含まれ得る。セールス支援サーバ１５は、このユーザのリストを端末装置１７に送信する。このリストは、支店毎、すなわちＡＴＭ群１３Ｇ毎に生成されてもよい。
【００２２】
端末装置１７は、金融機関の係員が使用する端末装置である。端末装置１７は、タブレット等の携帯端末またはパーソナルコンピュータ（以下、ＰＣともいう）であり得る。端末装置１７は、液晶ディスプレイのような表示装置を有しており、セールス支援サーバから受信したユーザのリストを表示可能である。
【００２３】
本実施例では、１の支店に配置されている１又は２台以上の端末装置１７を１つの端末装置群１７Ｇとして説明する。なお、図１には一例として端末装置群１７Ｇ（１）と端末装置群１７Ｇ（２）との２つの端末装置群が示されているが、当然ながら３以上の端末装置群が存在し得る。また、本実施例では、ＡＴＭ群１３Ｇ（１）が設置されている支店に配置されている端末装置群が端末装置群１７（１）であり、ＡＴＭ群１３Ｇ（２）が設置されている支店に配置されている端末装置群が端末装置群１７（２）であるとして説明する。
【００２４】
端末装置１７は、タッチパッドの様な入力装置を有しており上記表示されるユーザのリストから１のユーザの選択を受け付けて、当該受付結果をセールス支援サーバ１５に送信可能である。例えば、端末装置１７を使用している店員は、ユーザのリストから自身がセールスをしたいユーザ選択する操作を行い、その選択操作の受け付け結果がセールス支援サーバ１５に送信される。
【００２５】
セールス支援サーバ１５は、その選択操作の受付結果に基づいて、当該選択されたユーザが使用しているＡＴＭ１３に、ユーザに対してセールスを行ってもよいか否かを問いかける表示をする指示を送信する。セールス支援サーバ１５は、当該問いかけにおいて、ユーザがセールスを行っても良いと返答した場合、例えば、ＡＴＭ１３に対してセールスを行っても良いとの表明する操作を行った場合、その旨を端末装置１７に送信する。
【００２６】
図２は、ＡＴＭ１３の外観の斜視図である。図３は、ＡＴＭ１３の装置制御に関する構成を示している。ＡＴＭ１３は、制御部２１によって動作制御がなされる。制御部２１は、ＣＰＵ（Central Processing Unit）（図示せず）、ＲＯＭ（Read Only Memory）（図示せず）、ＲＡＭ（Random Access Memory）（図示せず）等により構成され、コンピュータとして機能する。そして、制御部２１のＣＰＵが、ＲＯＭに記憶されるかまたは外部にある各種プログラムを読み出し実行することにより各種機能を実現する。
【００２７】
記憶部２３は、制御部２１の処理に必要なデータ及び処理において発生するデータを適宜記憶するハードディスク、フラッシュメモリ、ＳＳＤ（Solid State Drive）、ＲＡＭ（Random Access Memory）等の記憶装置である。記憶部２３は、例えば、オペレーティングシステムや、ＡＴＭ１３用のソフトウェア等の各種プログラムを記憶する。なお、各種プログラムは、例えば、他のサーバ装置等からネットワークを介して取得されるようにしてもよいし、記録媒体に記録されて各種ドライブ装置を介して読み込まれるようにしてもよい。すなわち、記憶部２３に記憶される各種プログラム（後述する処理のＡＴＭ１３における処理を実行するためのプログラムを含む）は、ネットワークを介して伝送可能であるし、また、コンピュータ読み取り可能な記録媒体に記録して譲渡することが可能である。
【００２８】
通信部２５は、制御部２１の指示に従って外部とのデータの送受信等の通信を行うためのＮＩＣ（Network Interface Card）等のネットワークアダプタである。通信部２５は、例えば、取引処理において生ずるホストコンピュータ等の外部機器との通信を行う。また、通信部２５は、上記したセールス支援サーバ１５との通信を行う。
【００２９】
操作表示部２７は、図２に示すようにＡＴＭ１３の前面に設けられている。操作表示部２７は、例えば、告知部としてのディスプレイ２７Ａと、当該ディスプレイ２７Ａの表示面を覆う入力受付部としてのタッチパッド２７Ｂとを含むが、かかる例に限定されず、例えば、上記タッチパッド２７Ｂの代わりに、ハードキー（図示せず。）の場合でも良く、当該ハードキーには暗証番号を入力するためのＰＩＮＰＡＤ（personal identification number pad）が含まれても良い。
【００３０】
ティスプレイ２７Ａは、制御部２１から供給された操作表示信号に基づき、各種の操作画面又はメッセージ等を含む取引画面を表示する、例えば液晶表示装置である。タッチパッド２７Ｂは、使用者がディスプレイ２７Ａに表示された内容に対応した領域に触れると、当該表示された内容に対応した操作信号を制御部２１に供給する、例えば感圧式または静電式のタッチパッドである。
【００３１】
現金入出機構２９は、制御部２１から供給された開閉制御信号に応じて、図２に示すようにＡＴＭ１００の前面に設けられている紙幣入出口ＯＰ１及び硬貨入出口ＯＰ２のシャッタの開閉を行う。また、現金入出機構２９は、制御部２１から供給された現金引出信号に応じて、紙幣または硬貨が格納されている現金格納庫（図示せず）から、当該現金引出御信号にて示される金額に対応した紙幣または硬貨を取り出して、それぞれ紙幣入出口ＯＰ１及び硬貨入出口ＯＰ２に導出する。更に、現金入出機構２９は、使用者が紙幣入出口ＯＰ１または硬貨入出口ＯＰ２に投入した紙幣または硬貨を取り込み、現金格納庫に格納する。
【００３２】
通帳記帳機３１は、図２に示すようにＡＴＭ１００の前面に設けられている通帳挿入排出口ＯＰ３に顧客の預金通帳が挿入されると、これを取り込む。この際、通帳記帳機３１は、制御部２１から供給された取引結果信号にて示される取引内容、及び当該取引の実行日時等を、顧客の預金通帳に書き込む。当該書き込みが終了すると、通帳記帳機３１は、顧客の預金通帳を通帳挿入排出口ＯＰ３から排出する。
【００３３】
読取部としてのカード読取印刷機３３は、例えば、図２に示すＡＴＭ１３の前面に設けられているカード挿入口としてのカード挿入排出口ＯＰ４に顧客の取引カードが挿入されると、当該取引カードを取り込んで当該取引カードが保持している情報を読み取る。なお、かかる例に限定されず、例えば、カード読取印刷機３３は、取引カード等の媒体から情報を非接触に読み取れれば良く、すなわち取引カード等の媒体から無線で情報を読み取る場合や、スキャンして光学的に媒体から２次元バーコード等のコード／情報を読み取る場合等でも良い。当該取引カードが保持している情報は、例えば、ユーザの識別番号または口座番号等を含む顧客情報等の情報である。カード読取印刷機３３は、読み取ったカード情報を表すカード情報データを制御部２１に供給する。
【００３４】
図２又は図３に示すＡＴＭ１３には、ユーザの顔を撮影するカメラ（図示せず）が内蔵されても良く、さらには、上記内蔵カメラの代わりに、ＡＴＭ１３付近に設置される監視カメラ（図示せず）が上記ユーザを撮影しても良い。
【００３５】
図４は、セールス支援サーバ１５の装置制御に関する構成を示している。セールス支援サーバ１５は、制御部４１によって動作制御がなされる。制御部４１は、ＣＰＵ（Central Processing Unit）（図示せず）、ＲＯＭ（Read Only Memory）（図示せず）、ＲＡＭ（Random Access Memory）（図示せず）等により構成され、コンピュータとして機能する。そして、制御部４１のＣＰＵが、ＲＯＭに記憶されるかまたは外部にある各種プログラムを読み出し実行することにより各種機能を実現する。
【００３６】
記憶部４３は、制御部４１の処理に必要なデータ及び処理において発生するデータを適宜記憶するハードディスク、フラッシュメモリ、ＳＳＤ（Solid State Drive）、ＲＡＭ（Random Access Memory）等の記憶装置である。オペレーティングシステムや、例えば、記憶部４３は、セールス支援サーバ１５用のソフトウェア等の各種プログラムを記憶する。なお、各種プログラムは、例えば、他のサーバ装置等からネットワークを介して取得されるようにしてもよいし、記録媒体に記録されて各種ドライブ装置を介して読み込まれるようにしてもよい。すなわち、記憶部４３に記憶される各種プログラム（後述する処理のセールス支援サーバ１５における処理を実行するためのプログラムを含む）は、ネットワークを介して伝送可能であるし、また、コンピュータ読み取り可能な記録媒体に記録して譲渡することが可能である。
【００３７】
通信部４５は、制御部４１の指示に従って外部とのデータの送受信等の通信を行うためのＮＩＣ（Network Interface Card）等のネットワークアダプタである。通信部４５は、上記したＣＲＭサーバ１１、ＡＴＭ１３、及び端末装置１７とのとの通信を行う。
【００３８】
図５は、端末装置１７の装置制御に関する構成を示している。端末装置１７は、制御部５１によって動作制御がなされる。制御部５１は、ＣＰＵ（Central Processing Unit）（図示せず）、ＲＯＭ（Read Only Memory）（図示せず）、ＲＡＭ（Random Access Memory）（図示せず）等により構成され、コンピュータとして機能する。そして、制御部５１のＣＰＵが、ＲＯＭに記憶されるかまたは外部にある各種プログラムを読み出し実行することにより各種機能を実現する。
【００３９】
記憶部５３は、制御部５１の処理に必要なデータ及び処理において発生するデータを適宜記憶するハードディスク、フラッシュメモリ、ＳＳＤ（Solid State Drive）、ＲＡＭ（Random Access Memory）等の記憶装置である。記憶部５３は、例えば、オペレーティングシステムや、端末装置１７用のソフトウェア等の各種プログラムを記憶する。なお、各種プログラムは、例えば、他のサーバ装置等からネットワークを介して取得されるようにしてもよいし、記録媒体に記録されて各種ドライブ装置を介して読み込まれるようにしてもよい。すなわち、記憶部５３に記憶される各種プログラム（後述する処理のＡＴＭ１３における処理を実行するためのプログラムを含む）は、ネットワークを介して伝送可能であるし、また、コンピュータ読み取り可能な記録媒体に記録して譲渡することが可能である。
【００４０】
通信部５５は、制御部５１の指示に従って外部とのデータの送受信等の通信を行うためのＮＩＣ（Network Interface Card）等のネットワークアダプタである。通信部５５は、例えば、上記したセールス支援サーバ１５との通信を行う。
【００４１】
操作表示部５７は、例えば、ディスプレイ５７Ａと、当該ディスプレイの表示面を覆うタッチパッド５７Ｂ（図示せず）を含むような装置部分であるが、かかる例に限定されず、例えば、上記タッチパッド５７Ｂの代わりに、キーボード等のようなハードキー（図示せず。）の場合でも良い。ティスプレイ５７Ａは、制御部５１から供給された操作表示信号に基づき、各種の操作画面又はメッセージ等を含む取引画面を表示する、例えば液晶表示装置である。タッチパッド５７Ｂは、使用者がディスプレイに表示された内容に対応した領域に触れると、当該表示された内容に対応した操作信号を制御部５１に供給する、例えば感圧式または静電式のタッチパッドである。
【００４２】
［情報処理システムの動作概要］
図６は、情報処理システム１０の動作の概要を示すシーケンス図である。まず、ＡＴＭ１３において、取引が開始されてユーザのカードが読み取られ、当該カードから取得されたユーザの口座番号等の識別情報（ＩＤ）及びユーザの取引内容がセールス支援サーバ１５に送信される（ステップＳ１０１）。上記したように、情報処理システム１０内には複数のＡＴＭ１３が含まれており、ユーザによって使用が開始されたＡＴＭ１３からＩＤが逐次送信される。
【００４３】
図７は、ステップＳ１０１において送信される情報であるユーザ識別情報の一例を示す図である。図７に示すように、ユーザ識別情報は、ＡＴＭ１３を特定する情報である「ＡＴＭ ＩＤ」と、現在当該ＡＴＭ１３を使用しているユーザの口座番号とが対応付けられた情報を含み、さらに当該ユーザの現在のＡＴＭ１３における取引内容を示す「取引」が対応付けられている。
【００４４】
次に、セールス支援サーバ１５は、このＩＤ（ユーザ識別情報）を受信して、提示情報としてのユーザのリスト（図６中、セールス提示情報）を生成する（ステップＳ１０２）。このユーザのリストの生成において、セールス支援サーバ１５は、ＩＤを用いてＣＲＭサーバからユーザの情報を取得して、当該取得した情報を含むリストを生成する。ステップＳ１０２において、セールス支援サーバ１５は、情報処理システム１０における顧客情報取得部として機能する。
【００４５】
図８は、ユーザのリストの一例を示す図である。図８に示すように、ユーザのリストには、例えば、ユーザの氏名、現在の取引内容、推奨商品、セールス優先度が含まれていてもよい。なお、上記したように現在の取引内容は、ＡＴＭ１３から取得され得る。上記リストは、かかる例に限定されず、カメラが撮影する各ユーザの画像が含まれても良く、このユーザの画像を参考にすることで店員はユーザを認識する際の誤りを低減できる。
【００４６】
ステップＳ１０２の終了後、セールス支援サーバ１５は、生成したリストを端末装置１７（図６中、店員端末）に送信する。（ステップＳ１０３）。なお、ユーザのリストは、ＡＴＭ群１３Ｇ毎に生成されて、当該ＡＴＭ群１３Ｇに対応する端末装置群１７Ｇに含まれる端末装置１７に送信され得る。
【００４７】
端末装置１７は、ユーザのリストを受信するとこれをディスプレイに表示する（ステップＳ１０４）。ステップＳ１０４において、端末装置１７は、情報処理システム１０における提示情報提示部として機能する。この表示においては、図８に示したユーザのリストをそのまま表示しても良いし、当該リストに基づいて、新たに画面表示を生成して表示をしてもよい。
【００４８】
例えば、図８のリストにおいては、ＡＴＭの番号順にリストが形成されているが、他の項目、例えばセールス優先度が高い順にソートされた表示がなされても良い。すなわち、提示情報は、顧客情報によって定まる優先度に基づいた態様で、１又は複数の端末装置１７に当該顧客情報を各々提示する情報であってもよい。
【００４９】
また、端末装置１７を使用している店員の担当商品が端末装置１７に保存されており、当該店員の担当商品が先に表示されるようにソートされた表示がなされても良い。
【００５０】
ステップＳ１０４の後、端末装置１７は、店員からの操作を待機して、店員がリストの中からユーザを選択した際に選択を受付けて、当該選択されたユーザの情報を含み、当該ユーザが選択されたことを示す情報であるユーザ指定情報としての選択情報をセールス支援サーバ１５に送信する（ステップＳ１０５）。ステップＳ１０５において、端末装置１７は、情報処理システム１０における指定受付部として機能する。
【００５１】
当該店員によるユーザの指定は、少なくとも顧客情報を基にして行われる。例えば、顧客情報を含むリストが端末装置１７に表示されると、店員は、顧客情報の中からセールスを行う対象とすることを希望するユーザを選択する。例えば、当該店員は、顧客情報のみに基づいてセールスの対象のユーザを選択してもよい。或いは、当該店員は、顧客情報に加えて、顧客情報に付随して表示される優先度、自身のセールスに関するスキル、過去にセールスが行われた履歴等の情報に基づいてセールスの対象の顧客を選択してもよい。
【００５２】
セールス支援サーバ１５は、選択情報を受信すると、当該選択された事を告知する情報である告知情報を生成して（ステップＳ１０６）、ＡＴＭ１３に送信する（ステップＳ１０７）。告知情報には、当該ユーザが指定されたことを示す情報が含まれる。また、当該告知情報には、例えば、セールスがされるであろう商品、例えば、ユーザのリスト中の選択されたユーザに対する推奨商品の欄の情報が含まれていてもよい。すなわち、当該告知情報は、当該ユーザを指定した特定の店員の意思を反映しており、当該ユーザに対する当該店員からの告知を行うための情報である。
【００５３】
ＡＴＭ１３は、告知情報を受信すると、その内容に基づいてディスプレイ２７Ａを用いてセールスを行って良いか否かの問いかけ画面を表示して、当該問いかけをユーザに行ってユーザの選択を受け付ける（ステップＳ１０８）。ステップＳ１０８において、ＡＴＭ１３は、情報処理システム１０において当該問いかけに関する告知を行う告知部として機能する。当該告知は、ユーザに対するセールスを希望する旨の告知である。また、ＡＴＭ１３の操作表示部２７は、告知情報に基づく画面を表示する表示部として機能する。
【００５４】
図９は、問いかけ画面の一例を示す図である。図９に示すように、ステップＳ１０８において、セールスを行って良いか否かの問いかけを示す文字が表示され、当該問いかけに対するユーザの承諾を受け付けるボタン（「はい」）及び拒否を受け付けるボタン（「いいえ」）が選択可能に表示される。なお、ステップＳ１０８における表示は、セールスを希望する旨を通知する表示であって、問いかけは含まないものであってもよい。
【００５５】
ステップＳ１０８の後、ＡＴＭ１３は、ユーザによる選択を受付けて、選択された内容、すなわちユーザの行動に関するユーザ行動情報を含む情報として通知情報を生成し、セールス支援サーバ１５に送信する（ステップＳ１０９）。当該ユーザに関する行動は、ユーザに対するセールスをユーザが承諾するか否かを示す行動である。例えば、当該ユーザ行動情報は、ユーザによる承諾又は拒否を示す情報である。
【００５６】
また、ステップＳ１０９において、ＡＴＭ１３は、セールスに関する案内を示すセールス案内表示をディスプレイ２７Ａに表示する。
【００５７】
図１０は、セールス案内表示画面の一例を示す図である。図１０に示すように、例えば、当該案内画面はユーザに対して係員が来るまでの間待機を依頼する旨の表示である。なお、当該案内画面によって、窓口に誘導する旨の表示が行われても良い。
【００５８】
従って、告知情報に基づく問いかけ画面又は案内画面は、店員が当該ユーザに尋ねる以前に表示され得る。例えば、どのような内容のセールスを行いたいか等の店員の意思又は希望に関して、店員が直接当該ユーザに問いかける以前に当該問いかけ画面等の画面が表示される。
【００５９】
なお、店員によるセールスは、電話又はＴＶ電話等を介して遠隔で行われてもよい。例えば、当該ＴＶ電話の表示画面には、ディスプレイ２７Ａが用いられてもよく、別途モニタが設けられていてもよい。この場合においても、当該ＴＶ電話等を介して店員が当該ユーザに対してセールスに関して尋ねる以前に表示される。
【００６０】
セールス支援サーバ１５は、通知情報を受信すると（ステップＳ１１０）、当該通知情報を端末装置１７に送信する（ステップＳ１１１）。例えば、当該端末装置１７は、ステップＳ１０５において選択されたＡＴＭ１３が設置されている支店と同じ支店内に配置されている端末装置群１７Ｇの１の端末装置１７である。
【００６１】
当該対応する端末装置１７は、通知情報を受信すると、当該通知情報の内容を表示する（ステップＳ１１２）。ステップＳ１１２において、ユーザ行動情報を含む情報が表示される。例えば、ユーザによって承諾又は拒否が選択された旨がユーザのリストに追加されて表示される。
【００６２】
［ＡＴＭ１３のセールス支援取引ルーチン］
図１１は、情報処理システム１０において、ＡＴＭ１３の制御部２１によって実行されるセールス支援取引ルーチンの一例である取引ルーチンＲ１を示すフローチャートである。例えば、ＡＴＭ１３に電源が投入されると、取引ルーチンＲ１が開始される。なお、ＡＴＭ１３に人感センサ等を設けて、ユーザ（顧客）がＡＴＭ１３に近づいたことが検出された際にセールス支援取引ルーチンＲ１が開始されるようにしてもよい。
【００６３】
セールス支援取引ルーチンＲ１が開始されると、ＡＴＭ１３は、取引種別の選択画面表示及びユーザからの選択受付（図示せず）を経て、カードの挿入要求表示を行い、カードの挿入を待機する（ステップＳ２０１）。例えば、ステップＳ２０１において、カードの挿入及び暗証番号の入力を促す画面をディスプレイ２７Ａに表示されてもよい。
【００６４】
ステップＳ２０１の後、ＡＴＭ１３は、カードの挿入がされたか否かを判定する（ステップＳ２０２）。ＡＴＭ１３は、ステップＳ２０２において、カードが挿入されていないと判定すると、ステップＳ２０１に戻り、カードの挿入を再び待機する。
【００６５】
ＡＴＭ１３は、ステップＳ２０２において、カードが挿入されたと判定すると、取引が開始されたか否かを判定する（ステップＳ２０３）。ＡＴＭ１３は、ステップＳ２０３において、取引が開始されていないと判定すると、一定時間待機後、取引が開始されたか否かを再び判定する。
【００６６】
ＡＴＭ１３は、ステップＳ２０３において、取引が開始されたと判定すると、ユーザ識別情報としてのカード情報及び取引内容を含む情報をセールス支援サーバに送信する（ステップＳ２０４）。ステップＳ２０４において、制御部２１は、識別情報送信部として機能する。
【００６７】
ＡＴＭ１３は、ステップＳ２０４の実行後、当該ＡＴＭ１３の現在のユーザが選択されたことを示す告知情報の受信を待機する（ステップＳ２０５）。例えば、告知情報は、当該ＡＴＭ１３が設置されている支店の店員によってユーザのリストの中から選択されたユーザの情報を含み、当該ユーザが指定されたことを示す情報であるユーザ指定情報に基づいて生成された情報である。
【００６８】
ＡＴＭ１３は、ステップＳ２０５の実行後、取引が終了したか否かを判定する（ステップＳ２０６）。ＡＴＭ１３は、ステップＳ２０６において、取引が終了していないと判定すると、ステップＳ２０５に戻り、告知情報の待機を継続する。
【００６９】
ＡＴＭ１３は、ステップＳ２０６において、取引が終了したと判定すると、告知情報を受信したか否かを判定する（ステップＳ２０７）。ＡＴＭ１３は、ステップＳ２０７において、告知情報を受信したと判定すると、セールス告知サブルーチンを実行する（ステップＳ２０８）。なお、ＡＴＭ１３は、かかる場合に限定されず、取引途中であっても、割り込みで、告知情報の受信判定を行い、告知情報を受信した場合は、例えば、図９や図１０に示す画面を表示しても良い。
【００７０】
ＡＴＭ１３は、ステップＳ２０７において、告知情報を受信していないと判定した場合又はステップＳ２０８の実行後、取引を終了し、取引が終了したことを示す情報をセールス支援サーバ１５に送信する（ステップＳ２０９）。ＡＴＭ１３は、ステップＳ２０９を実行後、セールス支援取引ルーチンＲ１を終了する。
【００７１】
［ＡＴＭ１３のセールス告知サブルーチン］
図１２は、セールス支援取引ルーチンＲ１のステップＳ２０８において、ＡＴＭ１３の制御部２１によって実行されるセールス告知サブルーチンＲ１Ｓを示すフローチャートである。ＡＴＭ１３は、セールス告知ルーチンＲ１Ｓを開始すると、ユーザに対してセールスを行って良いか否かを確認する画面であるセールス確認画面をディスプレイ２７Ａに表示する（ステップＳ２１１）。ステップＳ２１１において、ユーザによって承諾又は拒否の選択操作が可能な態様で、セールス確認画面の表示が行われる。例えば、ステップＳ２１１において、図９に示したような問いかけ画面が表示される。
【００７２】
ＡＴＭ１３は、ステップＳ２１１の実行後、セールス確認画面に対して、ユーザがセールスを受けることを承諾することを示す承諾操作がなされたか否かを判定する（ステップＳ２１２）。例えば、ステップＳ２１２において、図９に示した問いかけ画面上の「はい」のボタンがタッチパッド２７Ｂを介して選択されたか否かが判定される。
【００７３】
ＡＴＭ１３は、ステップＳ２１２において、承諾操作がなされたと判定すると、承諾操作がなされたことを示す承諾通知をユーザ行動情報としてセールス支援サーバ１５に送信する（ステップＳ２１３）。
【００７４】
ＡＴＭ１３は、ステップＳ２１３の実行後、セールスに関する案内を示すセールス案内表示の画面をディスプレイ２７Ａに表示する（ステップＳ２１４）。例えば、ステップＳ２１４において、図１０に示したような「係員が参りますのでそのままお待ちください」等の案内を示す文字が表示される。なお、ステップＳ２１４において、セールス案内表示に加えて、又はこれに代えて、印刷物を排出してもよい。当該印刷物には、例えば整理番号が記載されていてもよい。
【００７５】
ＡＴＭ１３は、ステップＳ２１２において、承諾操作がなされていないと判定すると、ユーザがセールスを受けることを拒否することを示す拒否操作がなされたか否かを判定する（ステップＳ２１５）。例えば、ステップＳ２１５において、図９に示した問いかけ画面上の「いいえ」のボタンがタッチパッド２７Ｂを介して選択されたか否かが判定される。
【００７６】
ＡＴＭ１３は、ステップＳ２１５において、拒否操作がなされていないと判定すると、一定時間が経過したか否かを判定する（ステップＳ２１６）。ＡＴＭ１３は、ステップＳ２１６において、一定時間が経過していないと判定すると、ステップＳ２１２に戻り、承諾操作がなされたか否かを再度判定する。
【００７７】
ＡＴＭ１３は、ステップＳ２１６において、一定時間が経過したと判定した場合又はステップＳ２１５において拒否操作がなされたと判定した場合に、ユーザがセールスを受けることを拒否することを示す拒否通知をセールス支援サーバ１５に送信する（ステップＳ２１７）。
【００７８】
ＡＴＭ１３は、ステップＳ２１４又はステップＳ２１７の実行後、セールス告知サブルーチンＲ１Ｓを終了する。
【００７９】
［セールス支援サーバによる提示情報生成ルーチン］
図１３は、情報処理システム１０において、セールス支援サーバ１５の制御部４１によって実行されるルーチンの一例である提示情報生成ルーチンＲ２を示すフローチャートである。セールス支援サーバ１５は、提示情報生成ルーチンＲ２を開始すると、ＡＴＭ１３からのユーザ識別情報としてのカード情報及び取引種別を含む情報の受信を待機する（ステップＳ３０１）。
【００８０】
カード情報及び取引種別を含む情報には、当該情報を送信する送信元となるＡＴＭ１３を特定する識別情報であるＡＴＭ識別情報が含まれる。ＡＴＭ１３を特定する識別情報とは、例えば、当該送信元のＡＴＭ１３が、ＡＴＭ群１３Ｇの中のどのＡＴＭ１３であるかを特定する例えば装置番号等の識別情報である。
【００８１】
セールス支援サーバ１５は、ステップＳ３０１の実行後、ＡＴＭ１３からカード情報及び取引種別を含む情報を受信したか否かを判定する（ステップＳ３０２）。セールス支援サーバ１５は、ステップＳ３０２において、当該情報を受信していないと判定すると、ステップＳ３０２を繰り返す。
【００８２】
セールス支援サーバ１５は、ステップＳ３０２において、カード情報及び取引種別を含む情報を受信したと判定すると、ＣＲＭサーバにカード情報を送信して顧客情報を要求する（ステップＳ３０３）。ステップＳ３０３において、ＣＲＭサーバの顧客情報ＤＢ１１Ａに格納されている顧客情報であって、ステップＳ３０３において送信されたカード情報に対応する情報が要求される。ステップＳ３０３において、制御部４１は、セールス支援サーバ１５の顧客情報取得部として機能する。
【００８３】
セールス支援サーバ１５は、ステップＳ３０３の実行後、顧客情報を受信したか否かを判定する（ステップＳ３０４）。セールス支援サーバ１５は、ステップＳ３０３において、顧客情報を受信していないと判定すると、ステップＳ３０４を繰り返す。
【００８４】
セールス支援サーバ１５は、ステップＳ３０３において、顧客情報を受信したと判定すると、当該顧客情報を含む提示情報を生成して端末装置１７に送信する（ステップＳ３０５）。ステップＳ３０５において、例えば図８に示したような、当該顧客情報とユーザ識別情報とがＡＴＭ識別情報（図８中、ＡＴＭ番号）毎に対応付けられた情報が生成される。ステップＳ３０５において、制御部４１は、提示情報送信部として機能する。
【００８５】
例えば、ステップＳ３０５において、既に作成されていたユーザのリストに、ステップＳ３０４において受信された情報を追加することで、又は当該情報によってユーザのリストを更新することで、提示情報が生成されてもよい。
【００８６】
セールス支援サーバ１５は、ステップＳ３０５の実行後、提示情報生成ルーチンＲ２を終了する。
【００８７】
なお、提示情報には、セールスに応じた回数、確率、利用者全体がセールスに応じる確率等の情報が付随的に含まれていてもよい。
【００８８】
なお、ステップＳ３０１で送信する情報には、取引種別が含まれていなくともよく、ユーザ識別情報が含まれていればよい。
【００８９】
また、ステップＳ３０５において、セールス支援サーバ１５は、提示情報を送信する際に、各々の端末装置１７毎に個別に送信してもよい。例えば、セールスを担当する複数の店員（係員）が個別に端末装置１７を割り当てられている場合に、提示情報が各々の端末装置１７毎に個別に送信されてもよい。
【００９０】
さらに、セールス支援サーバ１５は、提示情報を個別に送信する際に、店員のセールスに関するスキルに応じて、異なる態様で提示情報を送信してもよい。例えば、提示情報は、当該店員のスキルに応じて対応可能なセールスの項目を先に表示するようにソートされて送信されてもよい。また、例えば、当該店員のスキルに応じて対応可能なセールスの項目のみが選択可能であり、対応不可能な項目に関しては選択不可能となるように、表示の態様を指定する情報を含んだ提示情報が送信されてもよい。
【００９１】
［端末ルーチン］
図１４は、情報処理システム１０において、端末装置１７の制御部５１によって実行されるルーチンの一例を示す端末ルーチンＲ３のフローチャートである。例えば端末装置１７に電源が投入されると端末ルーチンＲ３が開始される。
【００９２】
端末装置１７は、端末ルーチンＲ３を開始すると、セールス支援サーバ１５からの提示情報の受信を待機する（ステップＳ４０１）。端末装置１７は、ステップＳ４０１の実行後、提示情報を受信したか否かを判定する（ステップＳ４０２）。端末装置１７は、ステップＳ４０２において、提示情報を受信していないと判定すると、ステップＳ４０２を繰り返す。
【００９３】
端末装置１７は、ステップＳ４０２において、提示情報を受信したと判定すると、利用客リストをディスプレイ５７Ａに表示して操作を待ち受ける（ステップＳ４０３）。ステップＳ４０３において、例えば、各ＡＴＭ１３のＡＴＭ番号及び各ＡＴＭ１３の利用客の識別情報であるユーザ識別情報を含むユーザのリストが利用客リストとして表示される。
【００９４】
端末装置１７は、ステップＳ４０３の実行後、利用客リストの更新を受信したか否かを判定する（ステップＳ４０４）。端末装置１７は、ステップＳ４０４において、セールス支援サーバ１５から新たに提示情報を受信したか否かを判定する。
【００９５】
端末装置１７は、利用客リストの更新を受信したと判定すると、更新された利用客リストを表示する（ステップＳ４０５）。端末装置１７は、ステップＳ４０４において利用客リストの更新を受信していないと判定した場合又はステップＳ４０５の実行後、利用客の選択があったか否かを判定する（ステップＳ４０６）。
【００９６】
ステップＳ４０６において、端末装置１７は、ディスプレイ５７Ａに表示した利用客リストに対して、タッチパッド５７Ｂを介して１のユーザを選択する操作が行われたか否かを判定する。例えば、ＡＴＭ１３が設置されている支店の店員によって、当該操作が行われたか否かが判定される。端末装置１７は、ステップＳ４０６において、利用客の選択はなかったと判定すると、ステップＳ４０４に戻り、更新を受信したか否かを再び判定する。
【００９７】
端末装置１７は、ステップＳ４０６において、利用客の選択があったと判定すると、ユーザ指定情報としての選択情報をセールス支援サーバ１５に送信して通知情報の受信を待機する（ステップＳ４０７）。当該通知情報は、ユーザがセールスを承諾したか否かを示す行動に関するユーザ行動情報を含む。
【００９８】
端末装置１７は、ステップＳ４０７の実行後、セールスが承諾されたか否かを判定する（ステップＳ４０８）。例えば、端末装置１７は、ステップＳ４０８において、受信した通知情報にユーザがセールスを承諾したことを示す情報が含まれているか否かを判定する。
【００９９】
端末装置１７は、セールスが承諾されたと判定すると、ユーザが承諾した旨をディスプレイ５７Ａに表示する（ステップＳ４０９）。例えば、ステップＳ４０９において、承諾したユーザの識別情報及び当該ユーザが使用中のＡＴＭ１３のＡＴＭ番号が表示される。例えば、当該表示は、ユーザのリスト中に強調表示されることで行われてもよい。
【０１００】
端末装置１７は、ステップＳ４０９の実行後又はステップＳ４０８においてセールスが拒否されたと判定した場合に、端末ルーチンＲ３を終了する。
【０１０１】
［セールス支援サーバによる告知情報送信ルーチン］
図１５は、セールス支援サーバ１５の制御部４１によって告知情報が送信される際に実行されるルーチンの一例である告知情報送信ルーチンＲ４を示すフローチャートである。セールス支援サーバ１５は、例えば提示情報を送信後に告知情報送信ルーチンＲ４を開始する。
【０１０２】
セールス支援サーバ１５は、告知情報送信ルーチンＲ４を開始すると、ユーザ指定情報としての選択情報の受信を待機する（ステップＳ５０１）。例えば、ステップＳ５０１において、支店内に配置された端末装置群１７Ｇの１の端末装置１７からの選択情報の受信を待機する。
【０１０３】
セールス支援サーバ１５は、ステップＳ５０１の実行後、端末装置１７から選択情報を受信したか否かを判定する（ステップＳ５０２）。ステップＳ５０２において、制御部４１は、指定情報受付部として機能する。セールス支援サーバ１５は、選択情報を受信していないと判定すると、ステップＳ５０２を繰り返す。
【０１０４】
セールス支援サーバ１５は、端末装置１７から選択情報を受信したと判定すると、選択された利用客が利用しているＡＴＭ１３に告知情報を送信する（ステップＳ５０３）。例えば、ステップＳ５０３において、上記の１の端末装置１７、すなわち店員によってユーザの選択がなされた端末装置１７に、告知情報が送信される。なお、上記の端末装置群１７Ｇの他の端末装置１７にも告知情報が送信されてもよい。ステップＳ５０３において、制御部４１は、告知情報送信部として機能する。
【０１０５】
セールス支援サーバ１５は、ステップＳ５０３の実行後、告知情報送信ルーチンＲ４を終了する。
【０１０６】
［セールス支援サーバによる承諾通知送信ルーチン］
図１６は、セールス支援サーバ１５の制御部４１によって実行されるルーチンの一例である承諾通知送信ルーチンＲ５を示すフローチャートである。セールス支援サーバ１５は、例えば告知情報を送信後に承諾通知送信ルーチンＲ５を開始する。セールス支援サーバ１５は、承諾通知送信ルーチンＲ５を開始すると、まず、ＡＴＭ１３からの通知情報の受信を待機する（ステップＳ６０１）。ステップＳ６０１において、セールス支援サーバ１５は、既に告知情報を送信したＡＴＭ１３から送信される通知情報を待機する。ステップＳ６０１において、制御部４１は、行動情報受付部として機能する。
【０１０７】
セールス支援サーバ１５は、ステップＳ６０１の実行後、ＡＴＭ１３から承諾通知を受信したか否かを判定する（ステップＳ６０２）。ステップＳ６０２において、ＡＴＭ１３のユーザがセールスの承諾をした旨の情報を受信したか否かが判定される。セールス支援サーバ１５は、ＡＴＭ１３から承諾通知を受信していないと判定すると、ステップＳ６０２を繰り返す。
【０１０８】
セールス支援サーバ１５は、ステップＳ６０２において、ＡＴＭ１３から承諾通知を受信したと判定すると、当該承諾通知を送信したＡＴＭ１３に関する情報を端末装置１７に送信する（ステップＳ６０３）。ステップＳ６０３において、制御部４１は、行動情報送信部として機能する。ステップＳ６０３においてＡＴＭ１３に関する情報が送信される端末装置１７は、店員によってユーザの選択がなされた１の端末装置１７であり、当該承諾通知に係る承諾は、当該ユーザによってなされたものである。
【０１０９】
また、ステップＳ６０３におけるＡＴＭ１３に関する情報は、当該ユーザが利用しているＡＴＭ１３を示す情報であり、例えばＡＴＭ番号を含む情報である。セールス支援サーバ１５は、ステップＳ６０３の実行後、承諾通知送信ルーチンＲ５を終了する。なお、セールス支援サーバ１５は、ＡＴＭ１３から拒否通知を受信した場合には、拒否通知を端末装置１７に送信してもよい。
【０１１０】
上述した実施例における種々の構成、ルーチンは例示に過ぎず、用途等に応じて適宜選択及び変更可能である。
【０１１１】
以上、詳細に説明したように、情報処理システム１０によれば、ＡＴＭの利用客であるユーザに関する情報を対応する顧客情報とともに、金融機関等の係員が使用する端末装置に逐次表示することができる。当該顧客情報には、セールスの優先度及び推奨されるセールスの項目等のセールスの支援となる情報を対応付けて選択可能に表示することができる。
【０１１２】
そして、当該係員は端末装置に表示された情報からセールスの対象となるユーザ（顧客）を選択することができる。従って、セールスを担当する係員の忙しさやスキルに応じて対応可能なタイミングにセールスを図ることができる。
【０１１３】
また、係員がユーザを選択した際に、当該ユーザである顧客に対してセールスを行うことを希望する旨の告知をすることができる。さらに、顧客がセールスを受けることを承諾するか否かの選択を受け付けることもできる。
【０１１４】
従って、顧客に不快な思いをさせることなく、状況に応じて適切なタイミングで顧客に金融商品の紹介等の勧誘を行うことが可能な情報処理装置、情報処理システム及び自動取引装置を提供することができる。
【符号の説明】
【０１１５】
１０  情報処理システム
１１  ＣＲＭサーバ１１
１１Ａ  顧客情報ＤＢ
１３  ＡＴＭ
１３Ｇ  ＡＴＭ群
１５  情報処理サーバ
１７  端末装置
１７Ｇ  端末装置群
２１、４１、５１  制御部
２７、５７  操作表示部
２７Ａ、５７Ａ  ディスプレイ
２７Ｂ、５７Ｂ  タッチパッド
【図１】
2020017028.tif 000003
【図２】
2020017028.tif 000004
【図３】
2020017028.tif 000005
【図４】
2020017028.tif 000006
【図５】
2020017028.tif 000007
【図６】
2020017028.tif 000008
【図７】
2020017028.tif 000009
【図８】
2020017028.tif 000010
【図９】
2020017028.tif 000011
【図１０】
2020017028.tif 000012
【図１１】
2020017028.tif 000013
【図１２】
2020017028.tif 000014
【図１３】
2020017028.tif 000015
【図１４】
2020017028.tif 000016
【図１５】
2020017028.tif 000017
【図１６】
2020017028.tif 000018